(57)【要約】【課題】高性能でフォーカス群の軽量化が図られた耐環境性に優れた中望遠レンズを得ることが困難であった。【解決手段】物体側から順に、正の屈折力の第１群、正の屈折力の第２群、そして第３群を有し、無限遠から至近への合焦に際し、前記第２群を物体側に繰り出す光学系において、前記第２群に、正の屈折力と負の屈折力の樹脂レンズの組を有し、前記正の屈折力の樹脂レンズの焦点距離をｆｐ、負の屈折力の焦点距離をｆｎとしたとき、０．５＜｜ｆｐ／ｆｎ｜＜２なる条件を満足させる。【選択図】図１
2018005133.tif 000002
【特許請求の範囲】
【請求項１】
物体側から順に、正の屈折力の第１群、正の屈折力の第２群、そして第３群を有し、無限遠から至近への合焦に際し、前記第２群を物体側に繰り出す光学系において、前記第２群に、正の屈折力と負の屈折力の樹脂レンズの組を有し、前記正の屈折力の樹脂レンズの焦点距離をｆｐ、負の屈折力の焦点距離をｆｎとしたとき、下記条件式を満足することを特徴とする光学系。
０．５＜｜ｆｐ／ｆｎ｜＜２
【請求項２】
前記正の屈折力の樹脂レンズのアッべ数をνｐ、部分分散比をθｇＦとしたとき、下記条件式を満足することを特徴とする請求項１に記載の光学系。
θｇＦ−（-１．６６５×１０−７・νｐ３＋５．２１４×１０−５・νｐ２−５．６５６×１０−３・νｐ＋０・７２７８）  ＞  ０．０３
１５  ＜  νｎ  ＜  ３０
【請求項３】
前記負の屈折力の樹脂レンズの屈折率をＮｎ、アッベ数をνｎとしたとき、下記条件式を満足することを特徴とする請求項１に記載の光学系。
１．５０  ＜  Ｎｎ  ＜  １．７
１５  ＜  νｎ  ＜  ３０
【請求項４】
前記正の屈折力の樹脂レンズの最も絞り側の面から絞りまでの距離をＬｐ、光学系の最も物体側の面から像面までの距離をＯＴＬとしたとき、下記条件式を満足することを特徴とする請求項１に記載の光学系。
Ｌｐ／ＯＴＬ  ＜  ０．１
【請求項５】
前記第１群の屈折力をｆ１、前記第２群の屈折力をｆ２としたとき、下記条件式を満足することを特徴とする請求項１に記載の光学系。
２  ＜  ｆ１／ｆ２  ＜  ４
【請求項６】
前記第３群の焦点距離をｆ３、全系の焦点距離をｆｔとしたとき、下記条件式を満足することを特徴とする請求項１に記載の光学系。
｜ｆｔ／ｆ３｜  ＜  ０．４
【請求項７】
前記正の屈折力の樹脂レンズと負の屈折力の樹脂レンズは絞りに対して同じ側に隣り合って配置することを特徴とする請求項１に記載の光学系。
【請求項８】
前記第１群は少なくとも２枚の正レンズと１枚の負レンズを有し、前記第２群は樹脂レンズを含む少なくとも３枚の正レンズと２枚の負レンズを有し、前記第３群は正、負２枚のレンズからなること特徴とする請求項１に記載の光学系。
【請求項９】
請求項１乃至請求項８の何れか一項に記載の光学系を有することを特徴とする光学機器。
【発明の詳細な説明】
【技術分野】
【０００１】
本発明は、光学系に関し、例えば銀塩フィルム用カメラ、デジタルスチルカメラ、ビデオカメラ、デジタルビデオカメラ等の撮像装置に用いられる撮像光学系に好適なものである。
【背景技術】
【０００２】
従来、撮影画角３０度程度の大口径中望遠レンズにおいては、正の屈折力の第１群、負の屈折力の第２群、そして、正の屈折力の第３群を有し、無限遠から至近への合焦に際し、第２群を像側に繰り出す光学系が知られている（特許文献１）。また、正の屈折力の第１群、正の屈折力の第２群、そして、第３群を有し、無限遠から至近への合焦に際し、第２群を物体側に繰り出す光学系が知られている（特許文献２）。
【先行技術文献】
【特許文献】
【０００３】
【特許文献１】特開平３−３４９６９２号公報
【特許文献２】特開２０１１−１１２９５７号公報
【発明の概要】
【発明が解決しようとする課題】
【０００４】
特許文献１は第２群を正負２枚のレンズで構成することができるため、フォーカス群の軽量化に優れているが、第２群の強い凹面により発生するサジタルハロにより軸外の光学性能が十分ではないという課題があった。
【０００５】
一方、特許文献２の構成では、第１群を正の屈折力、第２群を正の屈折力、そして第３群を弱い正または負の屈折力とすることで、軸外の光学性能を比較的良好に補正することができるが、特許文献１と比較するとフォーカス群の重量が重くなるという課題があった。
【０００６】
また、従来、光学系を軽量化するために樹脂レンズを用いる手法が知られているが、樹脂レンズは屈折率温度係数、熱線膨張係数が大きく、温度が大きく変化する環境では光学性能が著しく劣化するという課題があった。
【０００７】
そこで、本発明は、高性能で耐環境性に優れ、フォーカス群の軽量化が図られた中望遠レンズを提供することを目的とする。
【課題を解決するための手段】
【０００８】
上記の目的を達成するために、本発明に係る光学系は、
物体側から順に、正の屈折力の第１群、正の屈折力の第２群、そして第３群を有し、無限遠から至近への合焦に際し、前記第２群を物体側に繰り出す光学系において、前記第２群に、正の屈折力と負の屈折力の樹脂レンズの組を有し、前記正の屈折力の樹脂レンズの焦点距離をｆｐ、負の屈折力の焦点距離をｆｎとしたとき、下記条件式を満足させている。
０．５＜｜ｆｐ／ｆｎ｜＜２
【発明の効果】
【０００９】
本発明によれば、高性能で耐環境性に優れ、フォーカス群の軽量化が図られた中望遠レンズを得ることができる。
【図面の簡単な説明】
【００１０】
【図１】実施例１の無限遠合焦状態における光学系断面図である。
【図２】実施例１の無限遠合焦状態における縦横収差図である。
【図３】実施例１の至近合焦状態における縦横収差図である。
【図４】実施例１の無限遠合焦状態、温度＋２０℃時における縦横収差図である。
【図５】実施例１の無限遠合焦状態、温度−２０℃時における縦横収差図である。
【図６】実施例２の無限遠合焦状態における光学系断面図である。
【図７】実施例２の無限遠合焦状態における縦横収差図である。
【図８】実施例２の至近合焦状態における縦横収差図である。
【図９】実施例２の無限遠合焦状態、温度＋２０℃時における縦横収差図である。
【図１０】実施例２の無限遠合焦状態、温度−２０℃時における縦横収差図である。
【図１１】実施例３の無限遠合焦状態における光学系断面図である。
【図１２】実施例３の無限遠合焦状態における縦横収差図である。
【図１３】実施例３の至近合焦状態における縦横収差図である。
【図１４】実施例３の無限遠合焦状態、温度＋２０℃時における縦横収差図である。
【図１５】実施例３の無限遠合焦状態、温度−２０℃時における縦横収差図である。
【図１６】実施例４の無限遠合焦状態における光学系断面図である。
【図１７】実施例４の無限遠合焦状態における縦横収差図である。
【図１８】実施例４の至近合焦状態における縦横収差図である。
【図１９】実施例４の無限遠合焦状態、温度＋２０℃時における縦横収差図である。
【図２０】実施例４の無限遠合焦状態、温度−２０℃時における縦横収差図である。
【図２１】実施例５の無限遠合焦状態における光学系断面図である。
【図２２】実施例５の無限遠合焦状態における縦横収差図である。
【図２３】実施例５の至近合焦状態における縦横収差図である。
【図２４】実施例５の無限遠合焦状態、温度＋２０℃時における縦横収差図である。
【図２５】実施例５の無限遠合焦状態、温度−２０℃時における縦横収差図である。
【図２６】実施例６の無限遠合焦状態における光学系断面図である。
【図２７】実施例６の無限遠合焦状態における縦横収差図である。
【図２８】実施例６の至近合焦状態における縦横収差図である。
【図２９】実施例６の無限遠合焦状態、温度＋２０℃時における縦横収差図である。
【図３０】実施例６の無限遠合焦状態、温度−２０℃時における縦横収差図である。
【図３１】本発明の光学機器の一例である。
【００１１】
なお、各光学系断面図において、Ｐは開口絞り、Ｉｍｇは像面を表している。また、各縦収差図において、実線はｄ線のメリジオナル光線、破線はｄ線のサジタル光線、長破線はＦ線、一点鎖線はＣ線、二点鎖線はｇ線を表している。また、各横収差図において、実線はｄ線のメリジオナル光線、破線はｄ線のサジタル光線、長破線はＦ線のメリジオナル光線、一点鎖線はＣ線のメリジオナル光線、二点鎖線はｇ線のメリジオナル光線を表している。
【発明を実施するための形態】
【００１２】
以下、本発明を実施するための形態について、図面を参照しながら説明する。
【００１３】
本発明の実施形態について、実施例１を例に説明する。
【００１４】
実施例１は全画角２９．２°、開口比１．８５の大口径中望遠レンズである。
【００１５】
図１は実施例１の無限遠合焦状態における光学系断面図であり、物体側から順に、正の屈折力の第１群（Ｕ１）、正の屈折力の第２群（Ｕ２）、そして第３群（Ｕ３）を有し、無限遠から至近への合焦に際し、第２群を物体側に繰り出す光学系となっている。前記第２群は、正の屈折力の樹脂レンズ（ＬＰ）と負の屈折力の樹脂レンズ（ＬＮ）を有している。
【００１６】
この正負の樹脂レンズの組は、フォーカス群の軽量化の役割と、互いの樹脂レンズが温度変化時に引き起こす光学性能の劣化を相殺する役割を果たしている。さらに、前記正の屈折力の樹脂レンズの焦点距離をｆｐ、負の屈折力の焦点距離をｆｎとしたとき、実施例１は下記条件式（１）を満たしている。
０．５＜｜ｆｐ／ｆｎ｜＜２  （１）
条件式（１）は互いの樹脂レンズの温度変化時の光学性能の劣化を相殺できる、ＬＰとＬＮの焦点距離の比の範囲を表している。樹脂レンズはその材料の種類が異なっていても、屈折率温度係数、熱線膨張係数のオーダーは大きく変わらないため、温度変化による光学性能の劣化は樹脂レンズの配置とその焦点距離によって大きく左右される。第１群が正の屈折力、第２群が正の屈折力、そして第３群が弱い正または負の屈折力を持つ光学系の第２群に正負の樹脂レンズの組を用いて温度変化時の光学性能劣化を抑制する場合には、条件式（１）を満たすことが望ましい。
【００１７】
大口径中望遠レンズにおいて、さらに高性能化を図るためには、軸上色収差の２次スペクトルを補正すると良く、実施例１ではこの軸上色収差の２次スペクトルを補正するために、正の屈折力の樹脂レンズに条件式（２）、（３）を満たす材料を用いている。
θｇＦ−（-１．６６５×１０−７・νｐ３＋５．２１４×１０−５・νｐ２−５．６５６×１０−３・νｐ＋０・７２７８）  ＞  ０．０３      （２）
１５  ＜  νｐ  ＜  ３０    （３）
ここで、νｐ、θｇＦはそれぞれ正の屈折力の樹脂レンズのアッベ数と部分分散比である。
【００１８】
条件式（２）は異常部分分散性を表す式であり、条件式（２）の左辺の値が右辺の値より大きければ大きいほど、軸上色収差の２次スペクトルの補正に効果がある。条件式（２）を満たす材料を正の屈折力のレンズに用いた場合の軸上色収差２次スペクトルの補正効果はΔθｇＦ／νｄに比例するため、アッベ数については小さい方が好ましい。ここで、ΔθｇＦは条件式（２）の左辺の式で算出される値である。
【００１９】
条件式（３）はアッベ数の好ましい範囲を規定した式であり、これにより、軸上色収差の２次スペクトルを良好に補正することができる。
【００２０】
軸上色収差の２次スペクトルの補正を行うために、条件式（２）、（３）を満たす材料を正の屈折力の樹脂レンズに用いた場合、条件式（１）を満足させるために、負の屈折力の樹脂レンズには条件式（４）、（５）を満たす材料を用いると良い。
１．５０  ＜  Ｎｎ  ＜  １．７     （４）
１５  ＜  νｎ  ＜  ３０    （５）
ここで、Ｎｎ、νｎはそれぞれ負の屈折力の樹脂レンズの屈折率とアッベ数である。これにより、条件式（１）を満足させることができ、温度変化時の光学性能の劣化を抑制することができる。
【００２１】
また、条件式（４）、（５）を満たす材料を負レンズに用いることは、像面湾曲を補正する上でも効果があり、実施例１では条件式（４）、（５）を満たす材料を負の屈折力の樹脂レンズに用いている。
【００２２】
さらに、正の屈折力の樹脂レンズに条件式（２）、（３）を満たす材料を用いた際に、倍率色収差の２次スペクトルを低下させないように、実施例１は条件式（６）を満たしている。
Ｌｐ／ＯＴＬ  ＜  ０．１    （６）
ここで、Ｌｐは正の屈折力の樹脂レンズの最も絞り側の面から絞りまでの距離であり、ＯＴＬは光学系の最も物体側の面から像面までの距離である。軸外光線の通過位置が低くなる絞り付近では倍率色収差が発生しにくいため、条件式（６）を満たすように正の屈折力の樹脂レンズを絞り付近に配置することにより、倍率色収差の２次スペクトルの発生を防ぐことができる。
【００２３】
さらに、フォーカス敏感度を確保しつつ、フォーカス群の径を小さくしフォーカス群の軽量化を図るために、実施例１では条件式（７）を満たしている。
２  ＜  ｆ１／ｆ２  ＜  ４  （７）
ここで、ｆ１は第１群の焦点距離、ｆ２は第２群の焦点距離である。条件式（７）の下限を超えてｆ１の焦点距離が短くなると、第２群のフォーカス敏感度が低くなるため、好ましくない。
【００２４】
また、条件式（７）の上限を超えてｆ１の焦点距離が長くなると、第２群へ入る光線の入射位置が高くなり、フォーカス群の径が大きくなるため好ましくない。
【００２５】
さらに、フォーカシングによる収差変動を抑制するために、実施例１は条件式（８）を満たしている。
【００２６】
｜ｆｔ／ｆ３｜  ＜  ０．４ （８）
ここで、ｆ３は第３群の焦点距離、ｆｔは全系の焦点距離である。条件式（８）を満たすようにフォーカシングに際して固定の第３群の屈折力を弱くするにより、フォーカシングによるコマ収差の変動を抑制することができる。
【００２７】
さらに、実施例１では、正の屈折力の樹脂レンズと負の屈折力の樹脂レンズは絞りに対して同じ側に隣り合って配置することにより、温度変化時の光学性能の劣化をより相殺しやすくしている。
【００２８】
さらに、実施例１では、第１群の構成を正レンズ２枚と負レンズ１枚、第２群の構成を正レンズ３枚と負レンズ２枚、第３群の構成を正レンズ１枚、負レンズ１枚とすることで、高い光学性能が得られるようにしている。特に負レンズを多く用いて絞り付近の負レンズの曲率を弱めることで、サジタルハロを低減することができている。
【００２９】
その他、高い光学性能を得るために実施例１の樹脂レンズは非球面を有しており、非球面樹脂レンズを用いることで、光学系のコストを下げる効果も得ている。
【００３０】
図２は実施例１の基準温度における無限遠合焦状態の縦横収差図であり、軸上から軸外まで良好に収差が補正されている。図３は実施例１の至近合焦状態（物体距離を像面から０．８ｍの位置に設定）における縦横収差図であり、無限遠から至近への合焦に際しても収差変動が少ないことが確認できる。図４、５はそれぞれ基準温度から＋２０℃、−２０℃の温度変化を樹脂レンズに与えた場合の縦横収差図である。
【００３１】
このとき、樹脂レンズにおいては、熱膨張後の面形状Ｘ’（ｒ）と温度変化後の屈折率ｎ’を下記式により与えた。
【００３２】
【数１】
2018005133.tif 000003
【００３３】
は光軸方向の面頂点からの変異量、ｒは光軸と垂直な方向の光軸からの高さ、Ｒは近軸曲率半径、ｋは円錐定数、Ｃ２、Ｃ４、Ｃ６、・・・は各次数の非球面形状である。
【００３４】
なお、正の屈折力の樹脂レンズには屈折率温度係数ｄｎ／ｄＴ＝−１２．５Ｅ−５、熱線膨張係数α＝６．５Ｅ−５を与え、負の屈折力の樹脂レンズには屈折率温度係数ｄｎ／ｄＴ＝−１３．０Ｅ−５、熱線膨張係数α＝７．２Ｅ−５を与えている。これらの値は以降実施例２から６でも同様である。図２、図４、図５を比較するとわかるように、樹脂レンズを用いているにも関わらず、実施例１では温度変化後も良好な光学性能が得られていることがわかる。
【００３５】
以下、実施例２から６について、実施例１との違いを中心に説明する。
実施例２は全画角２９．２°、開口比１．８５の大口径中望遠レンズである。図６に示すように、第２群（Ｕ２）の絞りより後ろ側に正の屈折力の樹脂レンズ（ＬＰ）、負の屈折力の樹脂レンズ（ＬＮ）の順に樹脂レンズの組を有している。
図７から図１０は実施例２のフォーカシング性能、及び、温度変化時の性能を表しており、実施例１と同じくどの状態でも良好な光学性能が得られている。
【００３６】
実施例３は全画角２９°、開口比１．８５の大口径中望遠レンズである。図１１に示すように、第２群（Ｕ２）の絞りより後ろ側に負の屈折力の樹脂レンズ（ＬＮ）、正の屈折力の樹脂レンズ（ＬＰ）の順に樹脂レンズの組を有している。
図１２から図１５は実施例３のフォーカシング性能、及び、温度変化時の性能を表しており、実施例１と同じくどの状態でも良好な光学性能が得られている。
【００３７】
実施例４は全画角２９°、開口比１．４５の大口径中望遠レンズである。図１６に示すように、第２群（Ｕ２）の絞りより前側に負の屈折力の樹脂レンズ（ＬＮ）、正の屈折力の樹脂レンズ（ＬＰ）の順に樹脂レンズの組を有している。
図１７から図２０は実施例４のフォーカシング性能、及び、温度変化時の性能を表しており、実施例１と同じくどの状態でも良好な光学性能が得られている。
【００３８】
実施例５は全画角４５．５°、開口比１．８５の大口径標準レンズである。図２１に示すように、第１群（Ｕ１）は正レンズ１枚、負レンズ１枚の構成になっており、第２群（Ｕ２）の絞りより前側に負の屈折力の樹脂レンズ（ＬＮ）、正の屈折力の樹脂レンズ（ＬＰ）の順に樹脂レンズの組を有している。
図２２から図２５は実施例５のフォーカシング性能、及び、温度変化時の性能を表しており、実施例１と同じくどの状態でも良好な光学性能が得られている。実施例１より画角が広まっており、標準画角のレンズにまで本発明の構成が適用できることがわかる。
【００３９】
実施例６は全画角２５．１°、開口比１．８５の大口径中望遠レンズである。図２６に示すように、第２群（Ｕ２）の絞りより前側に正の屈折力の樹脂レンズ（ＬＰ）、負の屈折力の樹脂レンズ（ＬＮ）の順に樹脂レンズの組を有している。
図２７から図３０は実施例６のフォーカシング性能、及び、温度変化時の性能を表しており、実施例１と同じくどの状態でも良好な光学性能が得られている。実施例１より画角が狭くなっており、全画角２５．１°のレンズまでにまで本発明の構成が適用できることがわかる。
【００４０】
実施例１から６を見てわかるように第２群（Ｕ２）に条件式（１）を満たす、正の屈折力の樹脂レンズ（ＬＰ）と負の屈折力の樹脂レンズ（ＬＮ）を有していれば良い。従って、樹脂レンズの配置を絞りのどちら側に配置するか、正負樹脂レンズのどちらを物体側に配置するかは特に限ったものではない。
また、実施例１、実施例４、実施例５では樹脂レンズの組を接合にしており、実施例２、実施例３、実施例６は樹脂レンズの組を分離しているが、結像性能上はどちらでも良い。ただし、一般に樹脂レンズに施す反射防止膜はその反射防止性能が劣るため、ゴーストやフレアを低減する上では、接合にしたほうが好ましい。
【００４１】
次に、本発明の光学系を用いた一眼レフカメラシステムの実施形態を、図３１を用いて説明する。
図３１において、１０は一眼レフカメラ本体、１１は本発明による光学系を搭載した交換レンズである。１２は交換レンズ１１を通して得られる被写体像を記録するフィルムや撮像素子などの記録手段である。１３は交換レンズ１１からの被写体像を観察するファインダー光学系、１４は交換レンズ１１からの被写体像を記録手段１２とファインダー光学系１３に切り換えて伝送するための回動するクイックリターンミラーである。ファインダーで被写体像を観察する場合は、クイックリターンミラー１４を介してピント板１５に結像した被写体像をペンタプリズム１６で正立像としたのち、接眼光学系１７で拡大して観察する。
【００４２】
撮影時にはクイックリターンミラー１４が矢印方向に回動して被写体像は記録手段１２に結像して記録される。１８はサブミラー、１９は焦点検出装置である。このように本発明の光学系を一眼レフカメラ交換レンズなどの光学機器に適用することにより、高い光学性能を有した光学機器が実現できる。
なお、本発明はクイックリターンミラーのない一眼レフカメラにも同様に適用することができ、上記に限ったものではない。
【００４３】
次に、各実施例の数値データを示す。各実施例の数値データにおいて、ｊは物体側から数えた面番号を表し、Ａｊは第ｊ番目の面の光線有効径、Ｒｊは第ｊ番目の面番号の曲率半径、Ｄｊは第ｊ番目と第（ｊ＋１）番目の面との光軸上の面間隔、Ｎｊ、νｊは第ｊ番目の光学材料のｄ線に対する屈折率、アッベ数を表している。ｆは光学系の焦点距離、Ｆｎｏは開口比、ωは半画角である。また、物体距離はレンズ第１面から物体までの距離である。
【００４４】
また、非球面形状は、Ｘを光軸方向の面頂点からの変異量、ｒを光軸と垂直な方向の光軸からの高さ、Ｒを近軸曲率半径、ｋを円錐定数、Ｃ２、Ｃ４、Ｃ６、・・・を各次数の非球面形状としたとき、次式によって表される。
【数２】
2018005133.tif 000004
【００４５】
なお、各係数における「Ｅ±ＹＹ」は「×１０±ＹＹ」を意味している。
【００４６】
また、各実施例における前記数式の値を表１に示す。
【００４７】
（実施例１）
面データ
面番号       r        d      nd         vd
1         50.535    4.86   1.91082    35.3           
2        122.114    2.04                             
3         35.435    7.32   1.61800    63.4           
4        177.420    0.17                             
5        155.645    3.00   1.72825    28.5           
6         25.498   17.27                             
7*        64.384    1.38   1.60737    27.0           
8         24.181    3.66   1.62380    19.5           
9*        41.247    4.23                             
10(絞り)    ∞       6.87                             
11        -28.128    1.46   1.69895    30.1           
12        161.576    0.61                             
13        222.114    5.75   1.77250    49.6           
14        -34.432    0.15                             
15        122.842    3.82   1.77250    49.6           
16        -79.713    7.52                             
17        -74.204    1.65   1.54814    45.8           
18        126.879    1.33                             
19       -816.986    2.91   1.91082    35.3           
20        -76.860   39.00                            
像面        ∞   
非球面データ
第7面
K = 0.00000e+000  A 4=-1.20562e-005  A 6=-3.96979e-009  A 8= 6.67539e-012  
第9面
K = 0.00000e+000  A 4=-1.14127e-005  A 6=-6.84706e-009  A 8= 1.71120e-011  
焦点距離      83.00  
Fナンバー      1.85  
画角          14.61  
像高          21.64  
レンズ全長   115.00  
BF            39.00  
（実施例2）
面データ
面番号       r        d      nd         vd
1         56.829    3.34   1.90366    31.3           
2        105.090    0.15                             
3         38.209    6.94   1.61800    63.4           
4        189.684    3.40                             
5        160.762    1.89   1.69895    30.1           
6         27.980   15.40                             
7         32.563    4.70   1.77250    49.6           
8        162.878    1.41                             
9       -194.116    1.44   1.59551    39.2           
10         27.517    5.58                             
11(絞り)    ∞       3.03                             
12*       -76.578    3.81   1.62380    19.5            
13*       -28.893    0.43                             
14*       -27.099    1.38   1.63550    23.9           
15*      -609.709    1.77                             
16         74.255    4.47   1.72916    54.7           
17        -53.690    4.67                             
18        -45.340    1.38   1.68893    31.1           
19         75.598    2.13                             
20        121.069    4.92   1.91082    35.3           
21        -50.915   42.76                             
像面        ∞   
非球面データ
第12面
K = 0.00000e+000  A 4= 4.29578e-006  A 6= 1.50000e-008  A 8=-5.83672e-011  
第13面
K = 0.00000e+000  A 4=-1.35735e-006  A 6=-8.42854e-009  A 8=-8.42947e-012  
第14面
K = 0.00000e+000  A 4=-4.25374e-006  A 6=-1.63173e-009  A 8= 1.45085e-011  
第15面
K = 0.00000e+000  A 4= 2.38352e-006  A 6= 1.56831e-008  A 8=-3.27451e-011  
焦点距離      83.00  
Fナンバー      1.85  
画角          14.61  
像高          21.64  
レンズ全長   115.00  
BF            42.76  
（実施例3）
面データ
面番号       r        d      nd         vd
1         74.942    2.08   1.91082    35.3           
2        101.725    0.15                             
3         38.097    8.17   1.61800    63.4           
4        370.770    5.49                             
5        671.436    1.87   1.59551    39.2           
6         30.883   14.16                             
7         30.883    4.10   1.61800    63.4           
8         76.712    2.78                             
9       -112.429    1.53   1.58144    40.8           
10         30.738    5.72                             
11(絞り)    ∞       1.50                             
12         35.321    6.40   1.77250    49.6           
13       -117.476    0.15                             
14*       201.647    1.42   1.63550    23.9           
15*        37.102    1.57                             
16*        92.991    3.12   1.64040    18.9           
17*     -1386.117    6.93                             
18        -34.955    2.00   1.69895    30.1           
19         82.904    1.56                             
20        113.431    5.31   1.91082    35.3           
21        -42.857   39.00                             
像面        ∞   
非球面データ
第14面
K = 0.00000e+000  A 4= 7.51422e-007  A 6=-4.91525e-009  A 8= 2.17828e-011  
第15面
K = 0.00000e+000  A 4= 1.25909e-005  A 6=-1.53800e-008  A 8= 1.75393e-010  
第16面
K = 0.00000e+000  A 4= 2.04283e-005  A 6=-6.96297e-009  A 8= 2.48163e-010  
第17面
K = 0.00000e+000  A 4= 1.46276e-005  A 6= 2.47271e-009  A 8= 1.51635e-010  
焦点距離      83.71  
Fナンバー      1.85  
画角          14.49  
像高          21.64  
レンズ全長   115.00  
BF            39.00  
（実施例4）
面データ
面番号       r        d      nd         vd
1         54.604    8.06   1.91082    35.3           
2        227.912    0.15                             
3         43.754   10.07   1.49700    81.5           
4       1478.327    0.26                             
5       3335.895    2.51   1.74077    27.8           
6         30.520   17.92                             
7*        34.735    1.71   1.60737    27.0           
8*        21.765    5.59   1.62380    19.5           
9*        25.931    6.50                             
10(絞り)    ∞       5.85                             
11        -32.084    1.67   1.71736    29.5           
12         46.481    9.08   1.77250    49.6           
13        -44.875    0.15                             
14        160.030    4.79   1.91082    35.3           
15        -86.391    2.00                             
16       -152.043    2.15   1.61293    37.0           
17         82.454    0.72                             
18        117.116    3.40   1.95375    32.3           
19       -184.379   39.41                             
像面        ∞   
非球面データ
第7面
K = 0.00000e+000  A 4=-5.87603e-006  A 6=-6.93892e-009  A 8=-6.51753e-012  A10= 2.76599e-014  A12=-4.03294e-017  A14= 1.83307e-020  
第8面
K = 0.00000e+000  A 4= 1.09668e-005  A 6=-4.03033e-008  A 8= 1.34612e-010  
第9面
K = 0.00000e+000  A 4=-6.11024e-006  A 6=-2.43761e-008  A 8= 5.86707e-011  A10=-1.46502e-013  A12= 1.87941e-016  A14=-1.07299e-019  
焦点距離      83.11  
Fナンバー      1.45  
画角          14.59  
像高          21.64  
レンズ全長   122.00  
BF            39.41  
（実施例5）
面データ
面番号       r        d      nd         vd
1         38.623    3.75   1.88100    40.1           
2        456.656   -0.23                             
3        160.329    2.10   1.64769    33.8           
4         25.483    7.13                             
5*        19.600    1.63   1.60737    27.0           
6         17.906    2.24   1.62380    19.5           
7*        18.387    5.71                             
8(絞り)    ∞       5.65                             
9        -20.692    1.33   1.71736    29.5           
10        252.124    0.45                             
11       1576.664    5.67   1.77250    49.6           
12        -26.638    0.15                             
13         72.176    5.08   1.77250    49.6           
14        -56.614    5.21                             
15       -169.371    2.00   1.59551    39.2           
16         41.949    1.74                             
17        141.783    3.07   1.77250    49.6           
18        -76.998   39.00                             
像面        ∞   
非球面データ
第5面
K = 0.00000e+000  A 4=-1.08397e-005  A 6=-7.83807e-008  A 8=-1.89647e-010  
第7面
K = 0.00000e+000  A 4=-6.14283e-006  A 6=-1.25832e-007  A 8=-1.94258e-010  
焦点距離      51.60  
Fナンバー      1.85  
画角          22.75  
像高          21.64  
レンズ全長    91.68  
BF            39.00  
（実施例6）
面データ
面番号       r        d      nd         vd
1         59.340    5.12   1.91082    35.3           
2        146.314    0.15                             
3         42.686    8.26   1.61800    63.4           
4        210.478    0.15                             
5        202.863    3.00   1.72825    28.5           
6         31.822   22.68                             
7*        37.055    4.92   1.64040    18.9           
8*       122.022    0.98                             
9*       219.851    1.60   1.63550    23.9           
10*        32.676    9.26                             
11(絞り)    ∞       6.22                             
12        -26.416    1.51   1.69895    30.1           
13        175.843    0.25                             
14        164.379    7.15   1.77250    49.6           
15        -35.692    3.14                             
16        475.104    3.12   1.77250    49.6           
17        -75.096   12.85                             
18       -108.842    1.74   1.54814    45.8           
19        104.085    0.57                             
20        143.039    3.31   1.91082    35.3           
21       -161.928   39.00                             
像面        ∞   
非球面データ
第7面
K = 0.00000e+000  A 4= 1.37672e-006  A 6= 3.07345e-010  A 8= 8.98649e-013  
第8面
K = 0.00000e+000  A 4=-2.68531e-006  A 6=-5.84841e-009  A 8= 2.60756e-013  
第9面
K = 0.00000e+000  A 4=-3.29788e-006  A 6=-2.28016e-009  A 8=-1.22980e-012  
第10面
K = 0.00000e+000  A 4= 2.84518e-006  A 6= 1.94905e-009  A 8= 1.48410e-011  
焦点距離      97.00  
Fナンバー      1.85  
画角          12.57  
像高          21.64  
レンズ全長   135.00  
BF            39.00  
【００４８】
【表１】
2018005133.tif 000005
【符号の説明】
【００４９】
Ｕ１  第１レンズ群、Ｕ２  第２レンズ群、Ｕ３  第３レンズ群、
ＬＰ  本発明の正の屈折力の樹脂レンズ、ＬＮ  本発明の負の屈折力の樹脂レンズ、
Ｐ  絞り、Ｉｍｇ  像面
【図１】
2018005133.tif 000006
【図２】
2018005133.tif 000007
【図３】
2018005133.tif 000008
【図４】
2018005133.tif 000009
【図５】
2018005133.tif 000010
【図６】
2018005133.tif 000011
【図７】
2018005133.tif 000012
【図８】
2018005133.tif 000013
【図９】
2018005133.tif 000014
【図１０】
2018005133.tif 000015
【図１１】
2018005133.tif 000016
【図１２】
2018005133.tif 000017
【図１３】
2018005133.tif 000018
【図１４】
2018005133.tif 000019
【図１５】
2018005133.tif 000020
【図１６】
2018005133.tif 000021
【図１７】
2018005133.tif 000022
【図１８】
2018005133.tif 000023
【図１９】
2018005133.tif 000024
【図２０】
2018005133.tif 000025
【図２１】
2018005133.tif 000026
【図２２】
2018005133.tif 000027
【図２３】
2018005133.tif 000028
【図２４】
2018005133.tif 000029
【図２５】
2018005133.tif 000030
【図２６】
2018005133.tif 000031
【図２７】
2018005133.tif 000032
【図２８】
2018005133.tif 000033
【図２９】
2018005133.tif 000034
【図３０】
2018005133.tif 000035
【図３１】
2018005133.tif 000036